(57)【要約】      （修正有）【課題】パチンコ営業者が顧客の勝玉に対する景品提供サービスをシームレスかつ順法に運用できる環境を提供する。【解決手段】本店外景品引渡しシステムは、パチンコ店内端末、地域専門店等の店内に設けられた商店内端末、及び景品センター機能を有する統括・管理センターからなり、前記パチンコ店内端末において景品交換の景品選択時、顧客が入力した発注内容と、暗証番号及びパチンコ店ＩＤを発注データとして生成し、該発注データをパチンコ店の秘密鍵で暗号化して前記統括・管理センターに送り、前記統括・管理センターでは、該暗号化された発注データを蓄積し、前記商店内端末において、該暗号化された発注データを景品センターから取得し、パチンコ店の公開鍵で復号化して、前記発注内容を取得し景品交換を行なうように構成する。【選択図】図１
2005027917.tif 000002
【特許請求の範囲】
【請求項１】
遊技店の店内に設けられた遊技店内端末、地域専門店等の提携先商店の店内に設けられた商店内端末、及びこれらを統括・管理し、景品センター機能を有する統括・管理センターからなり、遊技店外での提携先商店での景品交換を可能とする店外景品交換サービス・システムにおいて、前記遊技店内端末において顧客が遊技結果としての勝玉を交換する景品の選択時、顧客が入力した発注内容と、顧客が入力した暗証番号、遊技店ＩＤ及び店内端末ＩＤを含む発注ＩＤとを発注データとして生成し、該発注ＩＤを記載した発注確認書を顧客に発行すると共に、該発注データを遊技店の秘密鍵で暗号化して前記統括・管理センターに送り、前記統括・管理センターでは、該暗号化された発注データをそのまま景品センターに蓄積し、前記商店内端末において、顧客の持参した発注確認書をもとに、暗号化された発注データを景品センターから取得し、遊技店の公開鍵で復号化して、前記発注内容を取得し景品交換を行なうことを特徴とする店外景品交換システム。
【請求項２】
前記統括・管理センターは認証センター機能を有し、前記発注データを統括・管理センターに送る時遊技店の電子署名を行い、前記統括・管理センターでの発注データの受領時及び前記商店内端末において、顧客の持参した発注確認書から前記暗号化された発注データを前記景品センターから取得する時、認証センターに前記遊技店の電子署名が有効かどうかの確認を行なうことを特徴とする前記請求項１記載の店外景品交換システム。
【請求項３】
前記景品引き渡し後、商店内端末において納品データを生成し、該納品データは商店の秘密鍵で暗号化して景品センターに送られ、景品センターは復号化された該納品データに基づき各商店に対する前記納品の決済を行なうことを特徴とする前記請求項１記載の店外景品交換システム。
【請求項４】
前記顧客の遊技結果としての勝玉に関するデータを、遊技機から直接取得することを特徴とする前記請求項１記載の店外景品交換システム。
【請求項５】
前記顧客の遊技結果としての勝玉に関するデータを、ジェットカウンター等の計数機から取得することを特徴とする前記請求項１記載の店外景品交換システム。
【請求項６】
遊技機の表示装置を遊技店内端末の表示装置とすることを特徴とする前記請求項１記載の店外景品交換システム。
【請求項７】
遊技機に連動した呼び出し装置の表示装置を遊技店内端末の表示装置とすることを特徴とする前記請求項１記載の店外景品交換システム。
【請求項８】
遊技機の玉貸しサンド機の表示装置を遊技店内端末の表示装置とすることを特徴とする前記請求項１記載の店外景品交換システム。
【発明の詳細な説明】
【技術分野】
【０００１】
本発明は、遊技店における景品引渡しシステム、特にパチンコ遊技店において顧客の勝玉に応じて景品を提供する店外景品引渡しシステムに関するものである。
【背景技術】
【０００２】
従来、パチンコ店やゲームセンターなどの各種遊技店（以下ではこれら遊技店を代表してパチンコ店と呼ぶ）において、顧客がパチンコ機、スロット機、スマートボール機、テーブルゲーム機などの各種遊技機（以下ではこれら各種遊技機を代表してパチンコ機と呼ぶ）で遊技した結果獲得した勝玉、コインやチップなど（以下ではこれらを代表して勝玉と呼ぶ）を景品に交換する場合、顧客は店内に陳列されている景品の中から希望の景品を選択して、その場で景品を受け取っていた。あるいは、顧客は店内で閲覧可能な景品カタログの中から希望の景品を選択し、その景品名と届け先を店内に設置された端末から配送センターに通知して、配送センターは指定された配送先に景品を宅配していた。
【０００３】
このような各種遊技店の営業者（以下ではこれらを代表してパチンコ営業者と呼ぶ）にとっては、顧客に満足してもらうため、提供する景品の豊富な品揃えとそのストック維持とが不可欠であり、そのための店舗内スペース及び対応する人員の確保、景品の仕入れ・在庫管理・配送手配などに要する経費が膨大なものになる、という悩みがあった。
【０００４】
これを解決する方法として、たとえば景品となる商品等をパチンコ店外の各種専門店などで提供できるようにするため、店外の専門店において勝玉と交換できる商品等をコンピュータ等の画面に表示し、顧客の希望により商品等を宅配したり指定の商店等で受け取れるようにしたりする方法（特開平４−２３１９８９号公報）や、パチンコ勝玉（実際には勝玉数を記録したメンバーカード等）と景品を交換する景品交換端末装置をパチンコ店外の商店等に設置するようにした景品交換システム（特許第２７８４６７０号公報）などが提案されている。
【０００５】
しかし、これら従来例はいずれもメンバーカードを用いるものであり、また勝ち玉を店外に持ち出して店外で景品交換を行うものである。顧客がパチンコ勝玉に相当するカード等を遊技したパチンコ店外に持ち出し、店外の商店等に設置された景品交換端末装置を通じて所望の景品と交換することは現行の法律に明らかに違反する取引となるため、現実のサービスとしてこのようなシステムを提供することは不可能である。また、個々の専門店はこのような景品交換システムをそれぞれ独立して自店内に設置する必要があるので比較的大きな設備投資を必要とすると共に、成りすましや偽カード等のセキュリティ面で弱いという欠点があり、更には提供できる景品の種類・品揃えもその専門店の商品に限定されるという欠点がある。
【０００６】
これら従来の景品交換方法の欠点を克服する方法として、本発明の出願人は特開平１１−５７１７８号公報「景品引渡しシステム」において、パチンコ遊技者がパチンコ店に置かれた端末からネットワークを介して商店の商品カタログを参照して景品を選択し、更に景品配送センターのメールサーバ内に開設される該商店のメールボックスにこの景品の引渡し依頼書を該端末から送信し、該商店は該メールボックスを参照することにより指定された景品を該パチンコ遊技者に引き渡すシステムを開示した。このシステムによればパチンコ店は景品在庫を持つ必要がなくなり、かつこのシステムに加盟する各商店の多岐にわたる商品を景品として提供でき、各商店にとっても自店の商品の拡販機会が増大するというメリットが生じる。更に本システムでは、パチンコ遊技者は遊技したパチンコ店に置かれた該端末からのみ勝玉と景品の交換が行なえるので、交換行為自体が法律に違反するということもなくなる。しかしこのシステムは、パチンコ店、パチンコ遊技者（顧客）、商店の三者間での景品交換に関わるそれぞれの処理を、厳正・公明に管理する手段を欠いているため、顧客による玉の店外持ち出し、景品の自家買い行為、なりすまし等、法律で禁止された不正行為あるいはその類似行為の発生を、完全に防止することにやや難点があった。
【０００７】
【特許文献１】特開平４−２３１９８９号公報
【特許文献２】特許第２７８４６７０号公報
【特許文献３】特開平１１−５７１７８号公報
【発明の開示】
【発明が解決しようとする課題】
【０００８】
本発明の課題は、上述したような従来のパチンコ景品交換方法の不満足な点をすべて解消すると同時に、現行の法規制をシステムとして厳正に尊守できる、新規な景品引渡しシステムを提供することである。更に具体的には、本発明の課題はセンター方式による店外景品引渡しを可能にして、パチンコ営業者が顧客の勝玉に対する景品提供サービスをシームレスかつ順法に運用できる環境を提供し、同時にパチンコ営業の合理化と顧客の利便性とを最大限に図ることである。
【課題を解決するための手段】
【０００９】
上述した課題を解決するため、本発明の店外景品引渡しシステムは、パチンコ店の店内に設けられたパチンコ店内端末、地域専門店等の提携先商店の店内に設けられた商店内端末、及びこれらを統括・管理し、景品センター機能を有する統括・管理センターからなり、パチンコ店外での提携先商店での景品交換を可能とする店外景品交換サービス・システムにおいて、前記パチンコ店内端末において景品交換の景品選択時、顧客が入力した発注内容と、顧客が入力した暗証番号、パチンコ店ＩＤ及び店内端末ＩＤを含む発注ＩＤとを発注データとして生成し、該発注ＩＤを記載した発注確認書を顧客に発行すると共に、該発注データをパチンコ店の秘密鍵で暗号化して前記統括・管理センターに送り、前記統括・管理センターでは、該暗号化された発注データをそのまま景品センターに蓄積し、前記商店内端末において、顧客の持参した発注確認書をもとに、該暗号化された発注データを景品センターから取得し、パチンコ店の公開鍵で復号化して、前記発注内容を取得し景品交換を行なうように構成する。
【発明の効果】
【００１０】
本発明の店外景品交換システムにおいては、(１)顧客は勝玉の景品への交換をパチンコ店の店内端末でのみ実行でき、(２)顧客、パチンコ店および景品を提供する商店の相互間の取引はすべて、これらいずれとも直接の利害関係・資本関係の無い第三者としての統括・管理センターの仲介・管理・監視のもとに行なわれ、(３)統括・管理センターとパチンコ店間及び統括・管理センターと商店間の取引データの授受はすべてそれぞれの暗号鍵と公開鍵を用いた認証システムのもとで実行され、(４)パチンコ店及び商店のデータはそれぞれが発行する電子証明書とそれぞれのシステム管理責任者による電子署名により真正であることが保証され、かつパチンコ店、商店それぞれの責任範囲が明確にされるので、従来の景品交換方法では防ぐことが困難だった勝玉の店外持ち出し、景品の自家買い、成りすましによる景品の不正取得、その他の違法行為を完全に排除することができると共に、極めて信頼性・公平性・安全性及び安定性の高い景品交換取引が実現できる。
【発明を実施するための最良の形態】
【００１１】
以下、図面を参照し、実施例にもとづき本発明を詳細に説明する。
【実施例１】
【００１２】
図１は本発明の店外景品引渡しシステムの構成を説明する図である。同図において１０１は、本システムに加盟するパチンコ店の店内に設けられたパチンコ店内端末、１０２は、本システムに景品としての商品を提供する地域専門店等の提携先商店の、店内に設けられた商店内端末、１０３はこれら端末を統括・管理し、景品センター機能１０６及び認証センター機能１０７を有する統括・管理センターである。パチンコ店内端末１０１と統括・管理センター１０３は通信回線１０４で接続されている。
【００１３】
パチンコ店内端末１０１として、図１では一つのパチンコ店内に置かれた１台のパチンコ店内端末を代表として例示しているが、実際には複数のパチンコ店内に置かれた複数のパチンコ店内端末であってもよい。パチンコ店内端末１０１は本発明の店外景品引渡しシステムのパチンコ店における処理プログラムを実行するものであり、具体的な装置としては、たとえば汎用のパソコンあるいはサーバであってもよいし、専用のハードウェアであってもよい。またパチンコ店において他のジョブを実行する装置の内部に、本発明の店外景品引渡しシステムのパチンコ店における処理プログラムの全部または一部を実行するソフトウェアを、モジュールとして組み込み、その表示装置や入力装置を共用としたものであってもよい。たとえばパチンコ遊技者は通常、遊技した結果獲得した勝玉の数を一旦ジェットカウンター等の計数機で計数させ、その計数結果を記録した記録紙や磁気カード等をパチンコ店内端末１０１に読み込ませることで勝玉数を入力するが、計数機、あるいは計数機を組み込んだパチンコ機そのものに、本店外景品引渡しシステムのパチンコ店における処理プログラムの全部または一部を組み込めば、顧客が遊技後本システムを利用する際に必要な一連の手順を、勝玉数の計数を含め自動化することができる。またパチンコ機の表示画面に景品メニューを表示し、顧客がそれを見ながら、パチンコ機に接続されたタッチボードから景品選択操作などを行なうこともできる。これらについては実施例２により詳述する。
【００１４】
なお本パチンコ店内端末１０１は、顧客の勝玉数を入力するスキャナやバーコードリーダなどの入力機能、勝玉と交換できる商品のメニューを表示したり、顧客の種々の操作を指示したりするためのデイスプレイ機能、顧客が交換を希望する商品の発注確認書やパチンコ店が必要とするデータを必要に応じて出力するためのプリンタ機能、顧客やパチンコ店のシステム管理責任者が必要に応じてデータを入力するためのキーボード機能、通信回線１０４を通じて統括・管理センターと必要なデータを交換するための通信インターフェース機能などを、その周辺機能として含むものとする。
【００１５】
パチンコ店内端末１０１は通信回線１０４によって統括・管理センター１０３に接続されるが、このために使用される通信回線としては、必要なデータを充分な信頼性・安全性・高速性をもって伝送できるものであれば何であってもよく、たとえば高速専用線や、インターネットを利用したIP-VPNなどが使用できる。
【００１６】
商店内端末１０２として、図１では一つの商店内に置かれた１台の商店内端末を代表として例示しているが、実際には複数の商店内に置かれた複数の商店内端末であってもよい。商店内端末１０２は本発明の店外景品引渡しシステムの提携先商店における処理プログラムを実行するものであり、具体的な装置としては、たとえば汎用のパソコンであってもよいし、専用のハードウェアであってもよい。また商店において他のジョブを実行する装置、たとえばPOS端末装置の内部に、本発明の店外景品引渡しシステムの商店における処理プログラムを実行するソフトウェアを、モジュールとして組み込んだものであってもよい。
【００１７】
なお本発明で言う商店とは、店内に陳列した物品を商品として販売する商店に限るものではなく、レストラン、ガソリンスタンド、ドラッグストア、マッサージ店、レジャーランドなど、サービスを含む広い商品を販売する商店も含む。
【００１８】
商店内端末１０２は、必要な情報を表示するためのデイスプレイ機能、顧客が持参した発注確認書の内容を入力するための入力機能（たとえばバーコードリーダやキーボード）、商店が必要とするデータを必要に応じて出力するためのプリンタ機能、顧客や商店のシステム管理責任者が必要に応じてデータを入力するためのキーボード機能、通信回線１０５を通じて統括・管理センターと必要なデータを交換するための通信インターフェースなどを、その周辺機能として含むものとする。
【００１９】
商店内端末１０２は通信回線１０５によって統括・管理センター１０３に接続されるが、このために使用される通信回線としては、必要なデータを充分な信頼性・安全性・高速性をもって伝送できるものであれば何であってもよく、たとえば高速専用線や、インターネットを利用したIP-VPNなどが使用できる。
【００２０】
統括・管理センター１０３は本発明の店外景品引渡しシステム全体を統括・管理する機能と、後述する景品センター機能１０６及び認証センター機能１０７を持つ。これら統括・管理センターの機能は、一つまたは連携する複数の汎用サーバに搭載されるソフトウェアによって実行される。景品センター機能及び認証センター機能は、それぞれ独立なサーバによって景品センター及び認証センターとして構成されてもよく、また景品センター機能及び認証センター機能を実現するそれぞれのソフトウェアモジュールとして、統括・管理センター本体の機能を実行するサーバ内に実装されてもよい。以下では両方のケースを代表して、景品センター及び認証センターと呼ぶことにする。なお、統括・管理センターは、パチンコ店、及び景品としての商品を提供する商店のいずれとも独立な第三者によって管理・運営される。
【００２１】
ここで景品センターの機能は、各パチンコ店内端末から送信される暗号化された発注データを受信し、この受信した暗号化発注データと、それを復号化した発注データとをそれぞれファイルとして保管し、前者は各商店からの要求に応じて各商店に送信し、後者は商品代金の決済時や統括・管理センターとしての管理・運営に必要な時に使用すること、更に各商店内端末から送信される暗号化納品データを受信・復号化し、その結果を納品ログとしてファイルに保管すると共に、それを用いて請求明細データを作成・暗号化してファイルに保管し、作成した暗号化請求明細データを必要に応じて各パチンコ店内端末に送付することを含む。
【００２２】
また認証センターの機能は、各パチンコ店及び各商店が予め登録するそれぞれの電子証明書およびそれぞれの公開鍵をそれぞれのマスターファイルとして保管し、各パチンコ店の電子証明書および公開鍵は「統括・管理センターでの発注データの受領時、及び商店内端末において顧客の持参した発注確認書から前記暗号化された発注データを前記景品センターから取得する時、認証センターに前記パチンコ店の電子署名が有効かどうかの確認を」行なうために使用し、各商店の電子証明書及び公開鍵は統括・管理センターが各商店から受け取った暗号化納品データが真正かどうかの確認及びその復号化のために使用することを含む。
【００２３】
図２は、顧客（パチンコ遊技者）が本店外景品引渡しシステムに加盟するパチンコ店の店内において、パチンコ店内端末（図１の１０１）を利用して景品交換の景品（商品）を選択する際の、パチンコ店内端末における処理の流れを示す図である。顧客はステップ２０１において遊技結果の勝玉数をパチンコ店内端末の入力装置から入力する。パチンコ店内端末は取得した顧客の勝玉数をもとに、提供できる景品のメニューを通信回線（図１の１０４、図２の２０４）を通じて統括・管理センター（図１の１０３）に要求し、統括・管理センターはこの要求に応じて内部に保有する商品マスターファイル２０３から、提供できる商品の選択メニューをパチンコ店内端末に通信回線２０４を通じて送信する。ここでメニューの表示する内容は、たとえば商品との交換に必要な玉数、商品名、提供商店名、商品の規格（色、形、サイズ、重量、その他）、有効期間、賞味期限その他の情報である。なお、上記メニューは、そのときの顧客が交換する勝玉数に応じてそれと交換可能な景品群が自動的に選択され、表示される。例えば、５０００個の場合は、５０００個に相当する景品群を自動的に表示し、１０００個の場合はそれに相当する景品群を自動的に表示する。また、顧客は予め景品表示のカテゴリーを指定することもできる。例えば、レストランを選ぶと入力された勝ち球数で食事可能なレストランと食事メニューが表示され、ガソリンを選択すると近くのガソリンスタンドの場所と交換可能なガソリン量が表示される。さらには、上記景品表示の時、勝ち玉数を小分けして景品を表示させ、景品を選択することも可能である。例えば、前記ガソリンのような場合、量を指定して残りの勝ち玉を別の景品に交換することも可能である。
【００２４】
ステップ２０２において、パチンコ店内端末２０１はそのデイスプレイ機能により商品のメニュー選択画面を表示する。ステップ２０５において顧客はこの画面から所望の商品を選択し、パチンコ店内端末のキーボード機能によりその選択結果を入力する。次にステップ２０６において顧客は自らが任意に定める暗証番号を、パチンコ店内端末のキーボード機能により入力する。パチンコ店内端末はステップ２０７において、顧客が入力した暗証番号とパチンコ店内端末が自動的に付加する定数とをもとに、予め定められた規則に従って暗号化した発注ＩＤを自動作成する。ここでパチンコ店内端末が付加する定数とは、たとえば［ｙｙｍｍｄｄ（顧客が遊技した年月日）＋ｎｎｎｎ（パチンコ店ＩＤ） ＋ｔｔｔｔ（パチンコ店内端末ＩＤ）＋ｓｓｓｓ（連番）]のような一意の定数である。
【００２５】
次にパチンコ店内端末はステップ２０８において、自動作成した発注ＩＤの内容を、発注データとしてパチンコ店内端末が保持する発注ログファイル２０９に登録する。更にパチンコ店内端末はステップ２１０において、パチンコ店内端末プリンタ機能により、前記発注ＩＤの内容と前記選択商品の情報とを発注確認書として出力する（顧客はこの発注確認書を商店に持参し、勝玉との交換を指定した商品やサービスをそれと引き換えに受け取る）。ここまでのステップを実行することにより、「パチンコ店内端末において景品交換の景品選択時、顧客が入力した発注内容と、顧客が入力した暗証番号、パチンコ店ＩＤ及び店内端末ＩＤを含む発注ＩＤとを発注データとして生成し、該発注ＩＤを記載した発注確認書を顧客に発行」する処理が完了する。
【００２６】
図３は、パチンコ店内端末において「該発注データをパチンコ店の秘密鍵で暗号化して前記統括・管理センターに送」る処理を示すフローチャートである。図２ステップ２０８において自動作成された発注ＩＤと前記選択商品の情報とは、パチンコ店内端末が保持する発注ログファイル２０９に発注データとして登録され、同時にパチンコ店内端末において該発注データの暗号化が行なわれる（図３のステップ３０１）。この暗号化は、本発明の店外景品交換システムの加盟パチンコ店における管理責任者が予め本システムに登録しておいた秘密鍵を用いて行なう。この秘密鍵はパチンコ店が本システムに加入する時に本システムに登録されると同時に、パチンコ店内端末の秘密鍵ファイル（図３の３０２)に保管され、発注データを暗号化するステップ３０１において引き出されて使用される。パチンコ店の秘密鍵により暗号化された発注データには、パチンコ店における本システムの管理責任者がやはり事前に本システムに登録しておいた電子署名が付加される（ステップ３０３）。ステップ３０４において、パチンコ店管理責任者の電子署名付き暗号化発注データに、パチンコ店が発行する電子証明書をパチンコ店の電子証明書ファイル３０５から取り出して付加した電子証明書及び電子署名付き暗号化発注データ３０６を、通信回線３０７を介して統括・管理センターに送る。パチンコ店が発行する電子証明書によって、それが添付されている暗号化発注データはそのパチンコ店が正規に発行したものであることが証明される。電子証明及び電子署名付き暗号化発注データ３０６は統括・管理センター内の景品センター（図１の１０６）が保管する。
【００２７】
図４は統括・管理センターにおいて、「暗号化された発注データをそのまま景品センターに蓄積」する処理、さらに詳しくは、パチンコ店から送信された電子証明書及び電子署名付き暗号化発注データを受け取り、それをそのまま景品センターに格納すると共に、添付されているパチンコ店の電子証明書を確認し、それが真正なら暗号化された発注データの復号化を行なって、発注ログとして景品センターに格納する処理の詳細を示す。同図においてパチンコ店から送信された電子証明書及び電子署名付き暗号化発注データ４０１は通信回線４０２を介して統括・管理センターに送られ、統括・管理センターはステップ４０３でその受信処理を行なう。受信した電子証明書及び電子署名付き暗号化発注データに添付されているパチンコ店の電子証明書は、ステップ４０４において、認証センターに保管されている電子証明書マスターファイル４０５と照合される。照合の結果、添付されている電子証明書が真正であることが確認されれば、ステップ４０６において、認証センター内のパチンコ店公開鍵マスターファイル４０７に予め登録されているパチンコ店の公開鍵を取り出す。次にステップ４０８において、この取り出された公開鍵を用いて暗号化発注データの復号化処理を行ない、復号化された発注データをステップ４０９において景品センター内の発注ログファイル４１０に保管する。最後にステップ４１１において、パチンコ店から送信された電子証明書及び電子署名付き暗号化発注データ４０１を、そのまま景品センターの発注データファイル４１２に格納する。なおここで説明した各ステップの内、ステップ４０４、４０６、４０８及び４０９の処理は、店外景品交換後の代金精算処理を統括・管理センターが実行する際に必要となる、発注ログファイルを作成しておくための処理であって、店外景品交換に直接必要な処理ではない。
【００２８】
図５は、本店外景品引渡しシステムに加盟する商店に設置された商店内端末（図１の１０２）における、「顧客の持参した発注確認書をもとに、暗号化された発注データを景品センターから取得し、パチンコ店の公開鍵で復号化して、発注内容を取得し景品交換を行なう」処理の詳細を示す。同図において、顧客が持参した発注確認書に記載されている暗号化された発注ＩＤ（同図５０１）は、ステップ５０２において商店内端末に読み取られる。この読み取りは、商店内端末の周辺機能として設置される入力機能、たとえばバーコードリーダなどによって行なわれる。次に、顧客は商店内端末のキーボードなどを使って、自分がパチンコ店内端末に入力したのと同一の自分の暗証番号を、商店内端末に入力する（ステップ５０３）。商店内端末はステップ５０４において、入力された顧客の暗証番号によって前記暗号化された発注ＩＤを解読し、この解読された発注ＩＤに基づき、統括・管理センターの景品センターに保管されている、パチンコ店の電子証明書及び電子署名付きの暗号化発注データ５０６の転送を、通信回線５０５を経由して統括・管理センターに要求する。統括・管理センターはこの要求に応じて、パチンコ店の電子証明書及び電子署名付きの暗号化発注データ５０６を、通信回線５０５を通じて商店内端末に送る。次に商店内端末はステップ５０７において、送られてきた電子証明書及び電子署名付き暗号化発注データ５０６に添付されているパチンコ店の電子証明書が真正なものかどうかを確認するため、通信回線５０５を通じて、統括・管理センターの認証センターに保管されているパチンコ店電子証明書マスターファイル５０８と照合する。ここで電子証明書が真正と確認されれば、商店内端末はステップ５０９において、パチンコ店の公開鍵の転送を、通信回線５０５を経由して統括・管理センターに要求し、統括・管理センターはその認証センター内のパチンコ店公開鍵マスターファイル５１０に保管されている公開鍵を、通信回線５０５を経由して商店内端末に送る。商店内端末はステップ５１１において、取得した公開鍵により暗号化発注データを復号化し、更に添付されているパチンコ店管理責任者の電子署名を確認して、発注内容を取得する。この発注内容に従って、商店は顧客に商品の引き渡し（ステップ５１２）を行なう。なお、上記公開鍵はパチンコ店から商店に事前に与えられていてもよい。
【００２９】
次に図６〜図８により、「景品引き渡し後、商店内端末において納品データを生成し、該納品データは商店の秘密鍵で暗号化して景品センターに送られ、景品センターは復号化された該納品データに基づき各商店に対する前記納品の決済を行なう」処理の詳細を説明する。
【００３０】
図６は、顧客に商品を引き渡した商店が、その商品の納品データを商店の秘密鍵によって暗号化し、それに商店自身の電子署名を付加して統括・管理センター内の景品センターに送付する処理の詳細を示す図である。同図ステップ６０１において、商品の納品データは、予め本システムに登録され、商店内端末の秘密鍵ファイル６０２に保管されている商店の秘密鍵によって暗号化される。ステップ６０３において、この商店における本システムの管理責任者は自分の電子署名（やはり予め本システムに登録され商店内端末の秘密鍵ファイル６０２に保管されている）を暗号化された納品データに付加する。ステップ６０４において、商店内端末は予め商店内端末の電子証明書ファイル６０５に保管されている、この商店の電子証明書を、この商店における本システムの管理責任者により電子署名された暗号化納品データに付加し、電子証明書及び電子署名付き暗号化納品データ６０７として、通信回線６０６を通じて統括・管理センター内の景品センターに送る。
【００３１】
図７は、統括・管理センター内の景品センターが、商店から送付されてきた電子証明書及び電子署名付き暗号化納品データを受け、添付されている電子証明書及び電子署名を確認し、予め商店が統括・管理センターの認証センターに登録してある商店の公開鍵によって暗号化納品データを復号して納品ログファイルに登録する処理と、復号化された納品データをもとにパチンコ店に対する請求明細を作成しそれを統括・管理センターの秘密鍵を用いて暗号化した請求明細データファイルを作成する処理の詳細を示す図である。
【００３２】
統括・管理センター内の景品センターは図７のステップ７０１において、通信回線７０２を通じて商店から送付されてきた、電子証明書及び電子署名付き暗号化納品データ７０３を受信する。景品センターはステップ７０４において、この受信した暗号化納品データ７０３に添付されている商店の電子証明書を、統括・管理センター内の認証センターに保管されている、商店の電子証明書マスターファイル７０５と照合する。その結果商店の電子証明書が真正であれば、景品センターはステップ７０６において、商店が予め認証センター内の商店公開鍵マスターファイル７０７に登録してある、商店の公開鍵を要求し取得する。次に、この取得した商店の公開鍵を用いて、景品センターはステップ７０８において、暗号化された納品データを復号化し、その結果をステップ７０９において納品ログとして景品センター内の納品ログファイル７１０に登録する。次に景品センターはステップ７１１において、復号化された納品データに基づき、パチンコ店に対するこの商品の代金の請求明細を作成し、それを自らが秘密鍵ファイル７１２に保持している統括・管理センターの秘密鍵によって暗号化する。更に景品センターはステップ７１３において、この秘密鍵によって暗号化された請求明細を、暗号化請求明細データファイル７１４に格納する。
【００３３】
図８は、パチンコ店内端末（図１の１０１）が暗号化された請求明細データを統括・管理センターから受け取り、それを統括・管理センターの公開鍵により復号化して請求明細を取得し、その内容をパチンコ店内端末が保管している発注ログの内容と照合して正しければ代金の決済を行なう処理の、詳細を示すものである。なおパチンコ店によるこの決済処理は、顧客が店外景品交換を行なう都度実行する必要は必ずしもなく、たとえば一定期間内にその商店の商品に対して行なわれた景品交換の代金を纏めて決済するようにしてもよい。
【００３４】
パチンコ店内端末は図８ステップ８０１において、統括・管理センター内の景品センターから、同景品センターが商店の納品データに基づいて作成した暗号化請求明細データ８０３を、通信回線８０２を通じて受信する。次にパチンコ店内端末はステップ８０４において、通信回線８０２を通じて統括・管理センターの認証センターに統括・管理センターの公開鍵を要求し、認証センターは内部に持つ自身の公開鍵マスターファイル８０５を参照して、自身の公開鍵を、通信回線８０２を通じパチンコ店内端末に送付する。パチンコ店内端末はステップ８０６において、受信した統括・管理センターの公開鍵を用いて先に受信した暗号化請求明細データを復号化する。次にパチンコ店内端末はステップ８０７において、復号化された請求明細データを、先に図４ステップ４０９においてパチンコ店内端末が保存しておいた発注ログファイル（図４の４１０、図８の８０８)と照合し、内容が一致すれば、ステップ８０９において、請求された商品の代金を統括・管理センターの景品センターに決済する。なおこの決済はひとつの商品交換のたびに行なうのでなく、一定期間毎に纏めて行なうのが実際的である。本システムの加盟パチンコ店のそれぞれから上記決済を受けた統括・管理センターは、一定期間毎に、本システムに景品提供者として参加しているそれぞれの提携商店に対する商品代金の決済金額を仕分けし、それぞれ積算した上で、それぞれの商店に対して支払いを行なう。
【実施例２】
【００３５】
パチンコ機、スロット機、スマートボール機などの各種遊技機（パチンコ機で代表させる）では、顧客が遊技結果として獲得した勝玉、メダル、チップなど（勝玉で代表させる）を個々の顧客毎に自動的に計数しデータ化するための装置として、ジェットカウンターなどの計数機が使用されている。また、この計数機を各パチンコ機に組み込んだ計数機組込みパチンコ機や、更に各パチンコ機に玉の補給を自動的に行なう機能をも組み込んだ独立型パチンコ機も公開されている。本発明の店外景品引渡しシステムの遊技店（パチンコ店で代表させる）における機能の全部または一部、をこのような計数機、計数機組み込みパチンコ機、または独立型パチンコ機と組み合わせることにより、従来個々に設置する必要があったパチンコ機、計数機、景品引渡しカウンターの機能を自動化・一体化した、シームレスな店外景品引渡しシステムを構築することが可能になり、実施例１で述べた利点に加えて、パチンコ店にとっては一層の合理化、顧客にとっては一層の利便性向上が実現できる。
【００３６】
特に計数機組み込みパチンコ機や独立型パチンコ機に本発明の店外景品引渡しシステムのパチンコ店における処理プログラムの全部または一部を実行するソフトウェアを、モジュールとして組み込み、店外景品引渡しシステムのパチンコ店内端末の表示機能や入力機能をパチンコ機と共用させれば、顧客が遊技後本システムを利用する際に必要な一連の手順、たとえば顧客がパチンコ機の表示画面に表示された景品メニューを見ながら、パチンコ機に接続されたタッチボードから景品選択操作を行うことなどが、個々のパチンコ機それぞれから実行できるようになり、顧客にとって便利になると同時に、パチンコ店にとっても、大きな設備投資の不要な小規模遊技店の構築が可能になるというメリットを生じる。
【００３７】
図９は、本発明の店外景品交換システムの第二の実施例として、パチンコ店内端末の機能の全部または一部をパチンコ遊技機、計数機、玉貸しサンド機、呼び出し装置などの中に持たせて上述の機能を実現する方法を説明する模式図である。同図において９０１はパチンコ店内端末（図１の１０１）、９０２及び９０５は通信回線（図１の１０４及び１０５）、９０３は統括・管理センター（図１の１０３）９０５は商店内端末（図１の１０２）であり、本発明の店外景品交換システムの第１の実施例はこれらによって構成される。同図９０６はパチンコ玉の計数機、９０８は計数機組み込みパチンコ機あるいは計数機と玉の補給機の両方を組み込んだ独立型パチンコ機であり、ゲーム表示部９０９を持ち、コネクタ部９１０を介してテンキー等の入力装置９１１が接続されている。９１２は各パチンコ機に連動した呼び出し機であり、表示部９１３を持ち、コネクタ部９１４を介してテンキー等の入力装置９１５が接続されている。９１６は玉貸しサンド機であり、表示部９１７及びカードまたはコインの投入口９１９を持ち、コネクタ部９１８を介してテンキー等の入力装置９２０が接続されている。９２１はパチンコ機以外の遊技機、たとえばスロット機であり、ゲーム表示部９２２を持ち、コネクタ部９２３を介してテンキー等の入力装置９２４が接続されている。計数機９０６、パチンコ機９０８、呼び出し機９１２、玉貸しサンド機９１６、パチンコ機以外の遊技機９２１などの装置は、パチンコ店内のＬＡＮ（ローカルエリアネットワーク）９０７によってパチンコ店内端末９０１に接続されている。なお図９においては説明の便宜上、これら異なった種類の装置すべてが、ＬＡＮ９０７によって１台の独立したパチンコ店内端末９０１に接続されるように描いてあるが、実際にはこれらすべての種類の装置が同時にパチンコ店内端末に接続される必要はもちろんなく、一つのパチンコ店内において、ＬＡＮ９０７を介してパチンコ店内端末に接続されるのが、たとえば計数機９０６だけとか、パチンコ機９０８と玉貸しサンド機９１６の組み合わせとかであってもよい。
【００３８】
図９の模式図において、たとえば計数機組み込みパチンコ機あるいは計数機と玉の補給機の両方を組み込んだ独立型パチンコ機９０８を、ＬＡＮ９０７を介してパチンコ店内端末９０１に接続し、パチンコ機による勝玉の自動計数結果をパチンコ店内端末９０１に送信することにより、「顧客の遊技結果としての勝玉に関するデータを、遊技機から直接取得すること」が可能になる。
【００３９】
また、図９の計数機９０６による計数結果のデータを、ＬＡＮ９０７を介してパチンコ店内端末９０１に送信することにより、「顧客の遊技結果としての勝玉に関するデータを、ジェットカウンター等の計数機から取得すること」が可能になる。
【００４０】
また、図９の９０８の計数機組み込みパチンコ機あるいは計数機と玉の補給機の両方を組み込んだ独立型パチンコ機において、パチンコ機のゲーム表示部９０９をパチンコ店内端末９０１の表示部として使用することにより、「遊技機の表示装置を遊技店内端末の表示装置とすること」が可能になる。
【００４１】
また、図９において各パチンコ機に連動した呼び出し機９１２の表示部９１３をパチンコ店内端末９０１の表示部として使用することにより、「遊技機に連動した呼び出し装置の表示装置を遊技店内端末の表示装置とすること」が可能になる。
【００４２】
更に、図９において玉貸しサンド機９１６の表示部９１７をパチンコ店内端末９０１の表示部として使用することにより、「遊技機の玉貸しサンド機の表示装置を遊技店内端末の表示装置とすること」が可能となる。
【００４３】
なお図９においてテンキー等の入力装置９１１、９１５、９２０及び９２４は、それぞれパチンコ機９０８、呼び出し機９１２、玉貸しサンド機９１６及びパチンコ機以外の遊技機９２１に接続された入力装置として、顧客が景品メニューの選択結果や自分の暗証番号などを入力するのに用いる。なお、パチンコ以外の遊技機９２１として、スロット機やテーブルゲーム機のように遊技機のゲーム表示部９２２が大型なものの場合は、外部に接続した入力装置９２４の代りに、ゲーム表示部９２２にタッチパネル機能を組み込んで、それを入力装置として用いてもよい。
【産業上の利用可能性】
【００４４】
以上、実施例１に沿って詳細に説明した本発明の景品交換システムの構成から明らかなように、本発明の店外景品交換システムは従来の景品交換方法では得られなかった多くの利点を持つ。
【００４５】
すなわち、本発明の店外景品交換システムにおいては、従来の景品交換方法では防ぐことが困難だった勝玉の店外持ち出し、景品の自家買い、成りすましによる景品の不正取得、その他の違法行為を完全に排除することができると共に、極めて信頼性・公平性・安全性及び安定性の高い景品交換取引が実現できる。
【００４６】
次にパチンコ店にとっては、本システムによって顧客に対してサービスを含む多様な商品を提供できると共に、景品展示スペース・対応要員・景品ストック・配送費用などの経費が大幅に削減でき、経営上の効果が大きい。
【００４７】
顧客にとっては景品の種類が増え、これまで不可能だったレストラン、ガソリンスタンドなどの利用や、電気製品など店員に説明を聞きたい商品への交換も可能になるので、勝玉の利便性が大幅に向上する。
【００４８】
提携商店にとっては、パチンコ景品として商品を提供することで直接売り上げの増大につながると共に、商品メニューを工夫してパチンコ遊技者への拡販も行なえる。更に景品受け取りのために顧客が商店を訪れるので、景品以外の商品の拡販機会も増大する。またパチンコ店近隣の商店街全体にとっては、地域の活性化と健全化に寄与する効果が大きい。
【００４９】
更に本発明の実施例２の構成に従えば、従来個々に設置する必要があったパチンコ機、計数機、景品引渡しカウンターの機能を自動化・一体化することが可能になり、実施例１で述べた利点に加えて、パチンコ店にとっては一層の合理化、顧客にとっては一層の利便性向上が実現できる。
【図面の簡単な説明】
【００５０】
【図１】本発明の店外景品引渡しシステムの構成を説明する図である。
【図２】顧客（パチンコ遊技者）が本店外景品引渡しシステムに加盟するパチンコ店の店内において、パチンコ店内端末を利用して景品交換の景品（商品）を選択する際の、パチンコ店内端末における処理の流れを示す図である。
【図３】パチンコ店内端末において発注データをパチンコ店の公開鍵で暗号化して統括・管理センターに送る処理を示すフローチャートである。
【図４】統括・管理センターにおいて暗号化された発注データをそのまま景品センターに蓄積する処理の詳細を示す図である。
【図５】本店外景品引渡しシステムに加盟する商店に設置された商店内端末（における、顧客の持参した発注確認書をもとに、暗号化された発注データを景品センターから取得し、パチンコ店の公開鍵で復号化して、発注内容を取得し景品交換を行なう処理の詳細を示す図である。
【図６】顧客に商品を引き渡した商店が、その商品の納品データを商店の秘密鍵によって暗号化し、それに商店自身の電子署名を付加して統括・管理センター内の景品センターに送付する処理の詳細を示す図である。
【図７】統括・管理センター内の景品センターが、商店から送付されてきた電子証明書及び電子署名付き暗号化納品データを受け、復号して納品ログファイルに登録する処理と、復号化された納品データをもとに暗号化した請求明細データファイルを作成する処理の詳細を示す図である。
【図８】パチンコ店内端末が暗号化された請求明細データを統括・管理センターから受け取り、代金の決済を行なう処理の詳細を示す図である。
【図９】本発明の店外景品交換システムの第二の実施例を説明するための模式図である。
【符号の説明】
【００５１】
１０１  パチンコ店内端末
１０２  商店内端末
１０３  統括・管理センター
１０４、１０５  通信回線
１０６  景品センター機能
１０７  認証センター機能
２０４  通信回線
２０９  発注ログファイル
３０２  パチンコ店内端末の秘密鍵ファイル
３０５  パチンコ店の電子証明書ファイル
３０６  電子証明書及び電子署名付き暗号化発注データ
３０７  通信回線
４０１  電子証明書付き暗号化発注データ
４０２  通信回線
４０５  パチンコ店の電子証明書マスターファイル
４０７  パチンコ店公開鍵マスターファイル
４１０  発注ログファイル
４１２  発注データファイル
５０１  暗号化された発注ＩＤ
５０６  パチンコ店の電子証明書付きの暗号化発注データ
５０８  パチンコ店電子証明書マスターファイル
５１０  パチンコ店公開鍵マスターファイル
６０２  商店内端末の秘密鍵ファイル
６０５  商店内端末の電子証明書ファイル
６０６  通信回線
６０７  電子証明書及び電子署名付き暗号化納品データ
７０２  通信回線
７０３  電子証明書及び電子署名付き暗号化納品データ
７０５  商店の電子証明書マスターファイル
７０７  商店公開鍵マスターファイル
７１０  納品ログファイル
７１２  統括センターの秘密鍵ファイル
７１４  暗号化請求明細データファイル
８０２  通信回線
８０３  暗号化請求明細データ
８０５  認証センターの公開鍵マスターファイル
８０８  発注ログファイル９０１  パチンコ店内端末
９０２、９０４  通信回線
９０３  統括・管理センター
９０５  商店内端末
９０６  計数機
９０７  ＬＡＮ
９０８  パチンコ機
９０９、９１３、９１７、９２２  表示部
９１０、９１４、９１８、９２３  コネクタ部
９１１、９１５、９２０、９２４  入力部
９１２  呼び出し機
９１６  玉貸しサンド機
９１９  カードまたはコインの投入口
【図１】
2005027917.tif 000003
【図２】
2005027917.tif 000004
【図３】
2005027917.tif 000005
【図４】
2005027917.tif 000006
【図５】
2005027917.tif 000007
【図６】
2005027917.tif 000008
【図７】
2005027917.tif 000009
【図８】
2005027917.tif 000010
【図９】
2005027917.tif 000011